(57)【要約】【課題】  特に狭い部屋にでも設置できるような、部屋の占有スペースが小さくかつベッドも机も使用できる機能的な収納ベッド装置を提供する。【解決手段】  収納ベッド装置１は、内部に収納空間を有し、かつ下部に第一回動支持部４を有する収納本体２と、収納本体２に、使用時に第一回動支持部４を中心として倒伏回動してベッド面５を上面にして水平状態に引き出される引出状態、及び不使用時に第一回動支持部４を中心として起立回動して収納本体２の収納空間２ａにベッド面５の背面側を前面にして直立状態に収納される収納状態をとるように起伏回動自在に支持され、収納状態における前面側上下方向略中央部に第二回動支持部８を有するベッド部３と、該ベッド部３に、ベッド部３の不使用収納時に第二回動支持部８を中心として倒伏回動して水平状態に引き出される使用引出状態、及びベッド部３の不使用収納時に第二回動支持部８を中心として起立回動してベッド部３の前面側に直立状態に収納される不使用収納状態をとるように起伏回動自在に支持されたテーブル部７とを備える。【選択図】  図１
2006081828.tif 000002
【特許請求の範囲】
【請求項１】
内部に収納空間を有し、下部に第一回動支持部を有する収納本体と、
該収納本体に、使用時に上記第一回動支持部を中心として倒伏回動してベッド面を上面にして水平状態に引き出される引出状態と、不使用時に上記第一回動支持部を中心として起立回動して上記収納本体の収納空間にベッド面の背面側を前面にして直立状態に収納される収納状態とをとるように上記第一回動支持部にて起伏回動自在に支持され、上記収納状態における前面側上下方向略中央部に第二回動支持部を有するベッド部と、
該ベッド部に、ベッド部の不使用収納時に上記第二回動支持部を中心として倒伏回動して水平状態に引き出される使用引出状態と、ベッド部の不使用収納時に上記第二回動支持部を中心として起立回動して当該ベッド部の前面側に直立状態に収納される不使用収納状態とをとるように上記第二回動支持部にて起伏回動自在に支持されたテーブル部と
を備えたことを特徴とする収納ベッド装置。
【請求項２】
上記ベッド部の収納状態における前面には、該ベッド部を引出状態に回動操作するための取手が設けられ、
該取手は、ベッド部の使用時の引出状態ではベッド用脚部となることを特徴とする請求項１に記載の収納ベッド装置。
【請求項３】
上記第一回動支持部は、上記ベッド部の使用引出状態時に該ベッド部の倒伏回動を水平状態に緩衝規制するダンパー付き金具を備えていることを特徴とする請求項１又は２に記載の収納ベッド装置。
【請求項４】
上記第二回動支持部は、上記テーブル部の使用引出状態時に該テーブル部の倒伏回動を水平状態に規制保持するストッパー付き金具を備えていることを特徴とする請求項１乃至３のいずれか１に記載の収納ベッド装置。
【発明の詳細な説明】
【技術分野】
【０００１】
この発明は、部屋の占有スペースを小さく設置できる家具として、ベッドが収納できるとともに、このベッドに筆記台用のテーブルが収納できる機能的な収納ベッド装置に関する。
【背景技術】
【０００２】
狭い部屋にベッドを設置すると、机や収納家具等を置くスペースが無くなったり、圧迫感のある部屋になったりする。そのため、従来から、ベッドを折りたたんで収納する収納ベッドが用いられている。その一例として、不要な時は立てかけて収納することができて、部屋を広く使用することができる収納ベッド装置が、例えば特許文献１に開示されている。
【０００３】
また、こども部屋等で机を設置すると、ベッドを収納式としても狭くなるため、収納式ベッドに併せて収納式のテーブル（筆記台）を併用した折り畳みベッドが、特許文献２に開示されている。このものでは、必要な時だけベッドや筆記台を使用できるので、狭い部屋を広く使用することができる。
【特許文献１】特許公報平５−５０９２９号公報
【特許文献２】特開平１１−７００３２号公報
【発明の開示】
【発明が解決しようとする課題】
【０００４】
しかしながら、特許文献２によると、収納本体上部における天板と前板の一部とで構成される断面Ｌ字形状の天蓋部分が１８０°回動されてテーブルとして兼用されているため、テーブルの使用形態として、収納本体の奥行を小さくして部屋の占有スペースを小さくしようとするとテーブルの奥行も小さくなる一方、テーブルを使い易くするため奥行を大きくしようとすると、収納本体の奥行も大きくなり、部屋の占有スペースも当然大きくなり、本来の目的を達成しにくくなるという問題がある。
【０００５】
この発明はかかる点に鑑みてなされたものであり、部屋の占有スペースを小さくして、機能的な収納ベッド装置を提供することを目的とする。
【課題を解決するための手段】
【０００６】
上記の目的を達成するため、この発明は、収納本体に収納できるベッド部の、そのベッドとしての底面にテーブルを収納可能に設けたことにある。
【０００７】
具体的に、請求項１に記載の発明は、内部に収納空間を有し、下部に第一回動支持部を有する収納本体と、該収納本体に、使用時に上記第一回動支持部を中心として倒伏回動してベッド面を上面にして水平状態に引き出される引出状態と、不使用時に上記第一回動支持部を中心として起立回動して上記収納本体の収納空間にベッド面の背面側を前面にして直立状態に収納される収納状態とをとるように上記第一回動支持部にて起伏回動自在に支持され、上記収納状態における前面側上下方向略中央部に第二回動支持部を有するベッド部と、該ベッド部に、ベッド部の不使用収納時に上記第二回動支持部を中心として倒伏回動して水平状態に引き出される使用引出状態と、ベッド部の不使用収納時に上記第二回動支持部を中心として起立回動して当該ベッド部の前面側に直立状態に収納される不使用収納状態とをとるように上記第二回動支持部にて起伏回動自在に支持されたテーブル部とを備えたことを特徴とする。
【０００８】
請求項２に記載の発明は、請求項１に記載の発明において、上記ベッド部の収納状態における前面には、該ベッド部を引出状態に回動操作するための取手が設けられ、該取手は、ベッド部の使用時の引出状態ではベッド用脚部となることを特徴とする。
【０００９】
請求項３に記載の発明は、請求項１又は２に記載の発明において、上記第一回動支持部は、上記ベッド部の使用引出状態時に該ベッド部の倒伏回動を水平状態に緩衝規制するダンパー付き金具を備えていることを特徴とする。
【００１０】
請求項４に記載の発明は、請求項１乃至３のいずれか１に記載の発明において、上記第二回動支持部は、上記テーブル部の使用引出状態時に該テーブル部の倒伏回動を水平状態に規制保持するストッパー付き金具を備えていることを特徴とする。
【発明の効果】
【００１１】
請求項１に係る発明によれば、ベッド部の収納状態における前面側に出し入れ可能に収納できるテーブル部を設けたので、テーブル部の奥行寸法が収納本体の奥行寸法に左右されずに設定できるため、テーブル部の奥行寸法を十分に確保しても部屋の占有面積を小さくして部屋を広く使用することができる。
【００１２】
また、テーブル部はベッド部に起伏回動可能に設けられ、従来のように収納本体の天蓋部分と兼用したものでないので、テーブル部を使用したり収納したりする際に収納本体の上部方をテーブル部の回動軌跡用の空間として空ける必要がなく、書籍等の物を置いたり、収納棚を設置することができる。
【００１３】
請求項２に係る発明によれば、取手は、ベッド部を倒伏回動してベッド面を上面にして水平状態に引き出す動作が容易にできるためのものであることに加え、ベッド用脚部を兼用するため、すっきりとしたデザインを提供でき、部品数も少なくなるため生産性がよい。
【００１４】
請求項３に係る発明によれば、収納本体に設けた第一回動支持部はダンパー付き金具を備えているので、ベッド部の引出回動操作を衝撃なく安全に行うことができ、また水平状態を確実に保持することができる。
【００１５】
請求項４に係る発明によれば、ベッド部に設けた第二回動支持部はストッパー付き金具を備えているため、テーブル部を倒伏回動した後、水平状態に確実に規制保持することができる。
【発明を実施するための最良の形態】
【００１６】
以下、この発明の実施の形態について図面に基づいて説明する。
【００１７】
（実施の形態）
図１は、この発明の実施の形態に係る収納ベッド装置１を示す。図１において、収納ベッド装置１は直方体形状の収納本体２を備えている。収納本体２は部屋の壁にボルト等（図示せず）で固定される。収納本体２は、天板部と左右側板部と背板部と底板部とからなり前面が開放されているとともに内部に収納空間２ａが形成されている。この収納本体２の収納空間２ａにはベッド部３が出し入れ自在に収納されている。該収納本体２の下部にはダンパー付金具（図示せず）を備える第一回動支持部４が設けられている。ベッド部３は、矩形箱状のもので、その内部にはベッド面５となるすのこ板１４が内側面に掛け渡された状態で設けられている。そして、この第一回動支持部４が回動の支点となり、その使用時には、仮想線で示すように、第一回動支持部４を中心として倒伏回動してベッド面５を上面にして水平になるように引き出される引出状態となる一方、不使用時には、第一回動支持部４を中心として起立回動して収納空間２ａにベッド面５を前面にして直立状態に収納される収納状態となるように第一回動支持部４にて収納本体２に支持されている。上記第一回動支持部４はダンパー付き金具を備え、このダンパー付金具により、上記ベッド部３の使用引出状態時に該ベッド部３の倒伏回動を水平状態に緩衝規制する。また、ベッド部３の収納状態における前面上部には、図２に示すように、該ベッド部３を上記引出状態に回動操作するための取手６が取り付けられており、この取手６は、ベッド部３の使用の際の引出状態では、図１に示すように部屋の床面に接してベッド用脚部となってベッド部３を支え、安定保持させる役割を果たす。取手６は、ベッド部３の収納状態における前面上部に取付固定された水平方向に延びる略コ字状の一本の棒からなっている。取手６の形状、数、位置等はこれに限定されず、操作しやすく脚部としての機能を有するものであれば特定しない。１７は収納状態にあるベッド部３を該収納状態に保持するためのセーフラッチである。
【００１８】
図２に示すように、ベッド部３の収納状態における前面の略上半部には、矩形の開口１６が形成され、この開口１６内には、矩形板状のテーブル部７が開口１６を塞ぐように、換言すればベッド部３に埋め込まれるように設置されている。開口１６内の左右側面下部、つまり収納状態にあるベッド部３の前面側には、その上下方向略中央部に第二回動支持部８が設けられ、この第二回動支持部８によりテーブル部７がベッド部３に対し、ベッド部３の不使用収納時に、第二回動支持部８を中心として倒伏回動して水平状態に引き出される使用引出状態（図１で実線の状態）と、第二回動支持部８を中心として起立回動してベッド部３の前面側（開口１６内）に直立状態に収納される不使用収納状態をとるように起伏回動自在に支持されている。テーブル部７が不使用収納状態にあるときの裏面中央上部には、該テーブル部７を回動操作するための掘込み取手９が形成されている。該テーブル部７において不使用収納状態での上部の左右一側にはセーフラッチ１０が取り付けられている。このセーフラッチ１０により不使用収納状態にあるテーブル部７を、ベッド部３の開口１６底面に取り付けたセーフラッチ保持部１１に吸着して、テーブル部７をベッド部３の前面に収納された収納状態に保持する。第二回動支持部８はストッパー付き金具（図示せず）を備え、このストッパー付き金具により、上記ベッド部３の不使用収納時に、該テーブル部７の不使用収納状態から水平状態（使用引出状態）への倒伏回動を規制保持する。
【００１９】
上記ベッド部３の収納状態における前面の開口１６の底面には、テーブル部７を使用引出状態で使用した時に使用者が椅子（図示せず）に座った正面の壁面となるので、この開口１６の底面に時間割やメモ、写真等を貼ることができるように、ピンナップボード１２（インシュレーションボードの表面にコルクを貼ったもの。合板等でもよい。）が設けられている。このピンナップボード１２の他、ホワイトボード、液晶ディスプレイ等を設けてもよい。また、テーブル部７にキーボードを埋め込んだり、接着させたりして設けてもよい。
【００２０】
図１に示すように、ベッド部３の収納状態において上記テーブル部７の収納部分たる開口１６の下側には、枕やシーツ等の寝具を収納することができる収納部１３が形成されている。上記ベッド面５をなすすのこ板１４の一部は収納部１３の蓋ともなっており、ベッド部３が引出状態にあるときに該蓋であるすのこ板１４を着脱して該収納部１３を開閉可能としている。
【００２１】
図４に示すように、ベッド部３にはマジックテープ（Ｒ）の付いたベルト１５が設けられており、引出状態にあるベルト部３のベッド面５上に置かれて使用される寝具類は、ベッド部３を引出状態から回動させて収納状態に操作する前に、ベルト１５で押さえ、このベルト１５の端をベッド面５両面のベッド部３にそれぞれ貼り付けて固定することにより、収納状態に起立したベッド部３のベッド面５から布団類が滑り落ちるのを防止するようにしている。
【００２２】
ベッド部３を使用する場合は、第一回動支持部４を中心として倒伏回動してベッド面５を水平状態に引き出し、ベッド部３を収納する場合は、第一回動支持部４を中心として起立回動して収納本体２の収納空間２ａにベッド面５の背面側を前面にして直立状態に収納する。
【００２３】
テーブル部７を使用する場合は、ベッド部３の不使用収納時に、テーブル部７を第二回動支持部８を中心として倒伏回動して水平状態に引き出して使用する。テーブル部７を収納する場合は、第二回動支持部８を中心として起立回動して当該ベッド部３の前面側に直立状態に収納する。
【産業上の利用可能性】
【００２４】
この発明は、収納できるベッドに関し、収納できるベッド部の他にベッド部の底面にテーブル部を設けたので、狭い部屋にも小さいスペースで設置できる収納ベッド装置に関する技術について有用である。
【図面の簡単な説明】
【００２５】
【図１】この発明の実施形態に係る収納ベッド装置の縦断面図である。
【図２】この発明の実施形態に係る収納ベッド装置の正面図である。
【図３】この発明の実施形態に係る収納ベッド装置の平面図である。
【図４】この発明の実施形態に係る収納ベッド装置のベッド部の使用状態を示す斜視図である。
【図５】この発明の実施形態に係る収納ベッド装置のテーブル部の使用状態を示す斜視図である。
【符号の説明】
【００２６】
１      収納ベッド装置
２      収納本体
２ａ    収納空間
３      ベッド部
４      第一回動支持部
５      ベッド面
６      取手（兼脚部）
７      テーブル部
８      第二回動支持部
１０    セーフラッチ
１１    セーフラッチ保持部
１２    ピンナップボード
１３    収納部
１４    すのこ板
１６    開口
【図１】
2006081828.tif 000003
【図２】
2006081828.tif 000004
【図３】
2006081828.tif 000005
【図４】
2006081828.tif 000006
【図５】
2006081828.tif 000007